(57)【要約】【課題】電磁波のシールド性能に優れた電磁シールドシャッターを提供する。【解決手段】本発明の電磁シールドシャッターは、シャッターカーテン２のスラット３がステンレス鋼板または亜鉛メッキ鋼板から形成されているとともに、電磁波シールド室の開口部をシャッターカーテン２により閉鎖したときにスラット３の下側長辺部に形成された連結部３ｂとシャッターカーテン２のほぼ全幅にわたって接触する電磁シールド部材１０を有している。また、ガイドレール４，５がシャッターカーテン２との隙間をシールドする接触シールド部材を有し、該接触シールド部材が導電性弾性材で形成されている。【選択図】図２
2014015766.tif 000002
【特許請求の範囲】
【請求項１】
上側長辺部および下側長辺部を有する複数のスラットを上下に連設してなるシャッターカーテンと、該シャッターカーテンの左右両側に立設された一対のガイドレールと、該ガイドレールにより電磁波シールド室の開口部上部に案内されたシャッターカーテンを巻き取る巻取りシャフトと、該巻取りシャフトにより巻き取られたシャッターカーテンを収納するシャッターケースと、を備え、
前記スラットは、ステンレス鋼板または亜鉛メッキ鋼板から形成されているとともに、
前記スラット同士を連結する連結部における前記上側長辺部及び下側長辺部の一方に、前記電磁波シールド室の開口部を前記シャッターカーテンにより閉鎖したときに前記連結部における前記上側長辺部及び下側長辺部の他方に対して密接する電波シールド部材が、前記スラットの幅方向全幅にわたり設けられ、かつ前記スラットの表面が非塗装面であることを特徴とする電磁シールドシャッター。
【請求項２】
前記ガイドレールは、前記スラットの表面に接触して前記シャッターカーテンと前記ガイドレールとの間をシールドする接触シールド部材を有し、該接触シールド部材は、導電性弾性材で形成されていることを特徴とする請求項１に記載の電磁シールドシャッター。
【請求項３】
前記ガイドレールは、前記接触シールド部材よりもシャッターカーテンの中央側で前記スラットの表面に接触して前記シャッターカーテンと前記ガイドレールとの間をシールドするシールドブロックを有し、該シールドブロックは、導電性弾性材で形成されていることを特徴とする請求項２に記載の電磁シールドシャッター。
【請求項４】
前記スラットは、前記ガイドレール内においてスラット同士の間をシールドするシート状シールド部材を有し、該シート状シールド部材は、導電性弾性材で形成されていると共に、前記スラット同士の間から突出して前記ガイドレールの内面に接触する接触シールド片を有していることを特徴とする請求項１〜３のいずれか一項に記載の電磁シールドシャッター。
【請求項５】
前記シャッターケースの下部に前記シャッターカーテンの挿通口を形成するシャッターまぐさをさらに備え、該シャッターまぐさは、前記スラットの表面に接触して前記シャッターカーテンと前記シャッターまぐさとの間をシールドする接触シールド部材を有し、該接触シールド部材が導電性弾性材で形成されていることを特徴とする請求項１〜４のいずれか一項に記載の電磁シールドシャッター。
【請求項６】
前記シャッターカーテンは、その下端部に接触シールド部材を有し、該接触シールド部材が導電性弾性材で形成されていることを特徴とする請求項１〜５のいずれか一項に記載の電磁シールドシャッター。
【発明の詳細な説明】
【技術分野】
【０００１】
本発明は、電磁波シールド室の開口部を開閉する手段として用いられる電磁シールドシャッターに関する。
【背景技術】
【０００２】
従来、電磁波シールド室の開口部を開閉する手段としては、電磁シールド機能を有する電磁シールド扉が用いられていた。しかし、電磁シールド扉は電磁波シールド室の開口部が大きくなるに従って大形化し、これに伴って製造コストも上昇するという問題がある。
そこで、かかる問題を解消するため、電磁波シールド室の開口部に電磁シールドシャッターを設置して電磁波をシールドすることが提案されている（例えば、特許文献１−４参照）。
【０００３】
しかしながら、特許文献１−４に記載された電磁シールドシャッターでは、シャッターカーテンのスラットとスラットとの間に隙間が生じたり、スラットとガイドレールとの間や座板と床面との間に隙間が生じたりするため、電磁波をシールドすることが非常に難しいという問題があった。
また、通常はスラットの表面に塗装が施されているため、スラット同士が電気的に絶縁状態となり、スラットとスラットとの間に電磁シールド部材を配置しても所要の電磁シールド性能を得ることが困難であった。
【先行技術文献】
【特許文献】
【０００４】
【特許文献１】特開２００２−１５５６７５号公報
【特許文献２】特開２００２−４７４６号公報
【特許文献３】特開２００１−２９５５６２号公報
【特許文献４】特開平１０−１８７３５号公報
【発明の概要】
【発明が解決しようとする課題】
【０００５】
本発明は、このような問題点に鑑みてなされたもので、電磁波のシールド性能に優れた電磁シールドシャッターを提供することを目的としている。
【課題を解決するための手段】
【０００６】
上記課題を解決するために、請求項１の発明は、上側長辺部および下側長辺部を有する複数のスラットを上下に連設してなるシャッターカーテンと、該シャッターカーテンの左右両側に立設された一対のガイドレールと、該ガイドレールにより電磁波シールド室の開口部上部に案内されたシャッターカーテンを巻き取る巻取りシャフトと、該巻取りシャフトにより巻き取られたシャッターカーテンを収納するシャッターケースと、を備え、前記スラットは、ステンレス鋼板または亜鉛メッキ鋼板から形成されているとともに、前記スラット同士を連結する連結部における前記上側長辺部及び下側長辺部の一方に、前記電磁波シールド室の開口部を前記シャッターカーテンにより閉鎖したときに前記連結部における前記上側長辺部及び下側長辺部の他方に対して密接する電波シールド部材が、前記スラットの幅方向全幅にわたり設けられ、かつ前記スラットの表面が非塗装面であることを特徴とする。
【０００７】
請求項２の発明は、前記ガイドレールが、前記スラットの表面に接触して前記シャッターカーテンと前記ガイドレールとの間をシールドする接触シールド部材を有し、該接触シールド部材が、導電性弾性材で形成されていることを特徴とする。
請求項３の発明は、前記ガイドレールが、前記接触シールド部材よりもシャッターカーテンの中央側で前記スラットの表面に接触して前記シャッターカーテンと前記ガイドレールとの間をシールドするシールドブロックを有し、該シールドブロックが、導電性弾性材で形成されていることを特徴とする。
【０００８】
請求項４の発明は、前記スラットが、前記ガイドレール内においてスラット同士の間をシールドするシート状シールド部材を有し、該シート状シールド部材が、導電性弾性材で形成されていると共に、前記スラット同士の間から突出して前記ガイドレールの内面に接触する接触シールド片を有していることを特徴とする。
請求項５の発明は、前記シャッターケースの下部に前記シャッターカーテンの挿通口を形成するシャッターまぐさをさらに備え、該シャッターまぐさが、前記スラットの表面に接触して前記シャッターカーテンと前記シャッターまぐさとの間をシールドする接触シールド部材を有し、該接触シールド部材が導電性弾性材で形成されていることを特徴とする。
請求項６の発明は、前記シャッターカーテンが、その下端部に接触シールド部材を有し、該接触シールド部材が導電性弾性材で形成されていることを特徴とする。
【発明の効果】
【０００９】
本発明によれば、電磁波が電磁波シールド室に侵入することを確実に防止することができ、これにより、電磁シールドシャッターの電磁シールド機能を高めることができる。
【図面の簡単な説明】
【００１０】
【図１】本発明の第１の実施形態に係る電磁シールドシャッターの正面図である。
【図２】図１のＡ−Ａ断面を示す図である。
【図３】図１のＢ−Ｂ断面を示す図である。
【図４】図１のＣ−Ｃ断面を示す図である。
【図５】図３のＤ−Ｄ断面を示す図である。
【図６】図１のＥ−Ｅ断面を示す図である。
【図７】図１のＦ−Ｆ断面を示す図である。
【図８】図１のＧ−Ｇ断面を示す図である。
【図９】本発明の第２の実施形態に係る電磁シールドシャッターの要部を示す図である。
【図１０】本発明の第３の実施形態に係る電磁シールドシャッターの要部を示す図である。
【発明を実施するための形態】
【００１１】
以下、図１〜図１０を参照して本発明の実施形態について説明する。
図１は、本発明の第１の実施形態に係る電磁シールドシャッターの正面図である。また、図２は図１のＡ−Ａ断面を示す図、図３は図１のＢ−Ｂ断面を示す図、図４は図１のＣ−Ｃ断面を示す図、図５は図３のＤ−Ｄ断面を示す図、図６は図１のＥ−Ｅ断面を示す図、図７は図１のＦ−Ｆ断面を示す図、図８は図１のＧ−Ｇ断面を示す図であり、図１に示すように、本発明の第１の実施形態に係る電磁シールドシャッター１は、シャッターカーテン２を備えている。このシャッターカーテン２は電磁波シールド室の開口部を閉鎖するものであって、複数のスラット３を上下に連設して形成されている。これらのスラット３はステンレス鋼板または亜鉛メッキ鋼板からなり、その表面は非塗装面となっている。
【００１２】
電磁シールドシャッター１は、また、シャッターカーテン２を上下方向にガイドするガイドレール４，５と、ガイドレール４，５により電磁波シールド室の開口部上部に案内されたシャッターカーテン２を巻き取る巻取りシャフト６と、巻取りシャフト６により巻き取られたシャッターカーテン２を収納するシャッターケース７と、シャッターケース７の下部にシャッターカーテン２の挿通口を形成するシャッターまぐさ８とを備え、ガイドレール４，５はシャッターカーテン２の左右両側に立設されている。
【００１３】
さらに、電磁シールドシャッター１はステンレス鋼板等の金属板からなる底板９を備えている。この底板９は電磁波シールド室の開口部をシャッターカーテン２により閉鎖したときにシャッターカーテン２の下端部と接触するようにガイドレール４，５の下端部間に配置され、底板９の下面側は、導電性材料からなる電磁シールド体２２（図８参照）で構成されている。
なお、図１の（ａ）は電磁波シールド室の開口部がシャッターカーテン２により全閉されたときの電磁シールドシャッターを示し、（ｂ）はシャッターカーテン２の一部が巻取りシャフト６により巻き取られたときの電磁シールドシャッターを示している。
【００１４】
シャッターカーテン２を形成する各スラット３は、図２に示すように、スラット同士を連結する連結部３ａ，３ｂを上側長辺部と下側長辺部に有していると共に、電磁シールド部材１０を有している。この電磁シールド部材１０はスラット３の間から電磁波が侵入したり漏れたりすることをシールドするものであって、ステンレス鋼等の金属線材を網状に編組してなる金属メッシュから形成されている。そして、電磁シールド部材１０はスラット３の上側長辺部と下側長辺部に形成された連結部３ａ，３ｂのうち連結部３ａの表面上にスラット３のほぼ全長にわたって設けられている。
【００１５】
ガイドレール４，５は、図３及び図４に示すように、ステンレス鋼板等の金属板をコ字状に曲げ加工して形成されていると共に、導電性ゴム等の導電性弾性材からなる接触シールド部材１１，１２を有している。これらの接触シールド部材１１，１２はスラット３の表面に接触してシャッターカーテン２とガイドレール４，５との間をシールドするものであって、スラット３の表面に接触する接触シールド片１１ａ，１２ａを有している。
また、ガイドレール４，５は接触シールド部材１１，１２よりもシャッターカーテン２の中央側でスラット３の表面に接触してシャッターカーテン２とガイドレール４，５との間をシールドするシールドブロック１３，１４を有し、これらのシールドブロック１３，１４は接触シールド部材１１，１２と同様に導電性ゴム等の導電性弾性材で形成されている。
【００１６】
シャッターカーテン２の各スラット３は、その幅方向両端側にシート状シールド部材１５（図３、図４参照）を有している。このシート状シールド部材１５はスラット同士の連結部間をシールドするものであって、導電性ゴム等の導電性弾性材で形成されていると共に、スラット同士の間から突出してガイドレール４，５の内面に接触する接触シールド片１５ａ（図５参照）を有している。また、シート状シールド部材１５は、電磁波シールド室の開口部をシャッターカーテン２により閉鎖したときにスラット３の連結部３ｂと接触するように連結部３ａの幅方向両端部に設けられている。
【００１７】
シャッターカーテン２は、その下端部に接触シールド部材１６（図６参照）を有している。この接触シールド部材１６はシャッターカーテン２の下端部が底板９に当たることによって電磁波の漏洩を防止するものであって、導電性ゴム等の導電性弾性材で形成されている。
シャッターまぐさ８は、図７に示すように、接触シールド部材１７，１８を有している。これらの接触シールド部材１７，１８はスラット３の表面に接触してシャッターカーテン２とシャッターまぐさ８との隙間をシールドするものであって、導電性ゴム等の導電性弾性材で形成されている。
【００１８】
このような電磁シールドシャッターでは、電磁波シールド室の開口部をシャッターカーテン２により閉鎖すると、図２及び図８に示すように、スラット３の連結部３ａに設けた電磁シールド部材１０が連結部３ｂの表面にスラット３の幅方向全幅にわたり接触すると共に、シャッターカーテン２の下端部に設けた接触シールド部材１６が底板９に接触する。これにより、シャッターカーテン２の各スラット３が電気的に繋がった状態になると共に、シャッターカーテン２と底板９が電気的に繋がった状態になる。
また、接触シールド部材１１，１２，１７，１８およびシールドブロック１３，１４が導電性弾性材で形成されているため、シャッターカーテン２とガイドレール４，５が電気的に繋がった状態になると共に、シャッターカーテン２と接触シールド部材１７，１８が電気的に繋がった状態になる。
【００１９】
従って、このような電磁シールドシャッター１を電磁波シールド室の開口部に設置することで、電磁波が電磁波シールド室に侵入することを確実に防止できるため、電磁シールドシャッターの電磁シールド機能を高めることができる。
また、上述した電磁シールドシャッターでは、電磁波シールド室の開口部をシャッターカーテン２により閉鎖すると、スラット３の下側長辺部に形成された連結部３ｂが連結部３ａの幅方向両側に設けられたシート状シールド部材１５と接触するため、電磁波がガイドレール４，５の内面と電磁シールド部材１０との間を通って侵入することも防止できる。
【００２０】
上述した第１の実施形態では、電磁シールド部材１０をスラット３の連結部３ａに設けた場合を例示したが、電磁波シールド室の開口部をシャッターカーテン２により閉鎖したときに電磁シールド部材１０がスラット３の連結部３ａと接触するようにスラット３の連結部３ｂに設けてもよい。
また、シート状シールド部材１５をスラット３の連結部３ａに設けた場合を例示したが、シート状シールド部材１５をスラット３の連結部３ｂに設けてもよい。
【００２１】
さらに、本発明は上述した第１の実施形態に限られるものでない。たとえば、図９に示す第２の実施形態のように、シャッターカーテン２の下端部に向けて突出する凸条部１９を底板９にシャッターカーテン２の全幅にわたって設け、この凸条部１９にシャッターカーテン２の下端部に設けた接触シールド部材１６を接触させて接触シールド部材１６と底板９との間をシールドするようにしてもよい。
また、図１０に示す第３の実施形態のように、電磁波シールド室の開口部をシャッターカーテン２により閉鎖したときに接触シールド部材１６と係合する導電性弾性体２０を底板９に設けてもよい。さらに、底板９に向けて突出する導電性モヘア２１をシャッターカーテン２の下端部に設けてもよい。
【符号の説明】
【００２２】
１…電磁シールドシャッター
２…シャッターカーテン
３…スラット
３ａ，３ｂ…連結部
４，５…ガイドレール
６…巻取りシャフト
７…シャッターケース
８…シャッターまぐさ
９…底板
１０…電磁シールド部材
１１，１２…接触シールド部材
１１ａ，１２ａ…接触シールド片
１３，１４…シールドブロック
１５…シート状シールド部材
１５ａ…接触シールド片
１６…接触シールド材
１７，１８…接触シールド部材
１９…凸条部
２０…導電性弾性体
２１…導電性モヘア
【図１】
2014015766.tif 000003
【図２】
2014015766.tif 000004
【図３】
2014015766.tif 000005
【図４】
2014015766.tif 000006
【図５】
2014015766.tif 000007
【図６】
2014015766.tif 000008
【図７】
2014015766.tif 000009
【図８】
2014015766.tif 000010
【図９】
2014015766.tif 000011
【図１０】
2014015766.tif 000012